【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
交流電源に接続された１次巻線と、２次巻線と、を有するトランスと、
前記トランスの前記２次巻線に接続された抵抗と、
前記抵抗の両端の電圧が入力され、入力された前記両端の電圧に基づき前記交流電源の電圧を求める電圧検知装置であって、
前記交流電源の周波数を検知する検知手段と、
求められた前記交流電源の前記電圧を、前記検知手段により検知された周波数に基づき補正した補正電圧を求める補正手段と、
を有することを特徴とする電圧検知装置。
【請求項２】
入力されたアナログ値をデジタル値に変換する変換手段を有する算出手段を有し、
前記交流電源の所定の周波数と、前記所定の周波数において前記変換手段により変換されたデジタル値から算出電圧を算出するための第１のテーブルと、前記検知手段により検知された周波数に応じて前記補正手段により前記算出電圧を補正するための係数と、が記憶された記憶手段を有することを特徴とする請求項１に記載の電圧検知装置。
【請求項３】
前記係数は、前記交流電源の交流電圧を一定とし、前記交流電源の周波数を変化させたときに前記算出手段により算出された算出電圧に基づいて設定されることを特徴とする請求項２に記載の電圧検知装置。
【請求項４】
前記補正手段は、前記検知手段により検知された周波数と、前記記憶手段に記憶された前記所定の周波数、前記第１のテーブル及び前記係数と、に基づいて、前記検知手段により検知された周波数において前記変換手段により変換されたデジタル値から前記補正電圧を求めるための第２のテーブルを生成することを特徴とする請求項３に記載の電圧検知装置。
【請求項５】
前記係数は、前記交流電源の周波数の関数で表されることを特徴とする請求項２に記載の電圧検知装置。
【請求項６】
前記係数は、１次関数で表され、
前記記憶手段には、前記１次関数の傾き及び切片が記憶されていることを特徴とする請求項５に記載の電圧検知装置。
【請求項７】
前記補正手段は、前記検知手段により検知された周波数と、前記記憶手段に記憶された前記所定の周波数、前記第１のテーブル、前記傾き及び前記切片と、に基づいて、前記検知手段により検知された周波数において前記変換手段により変換されたデジタル値から前記補正電圧を求めるための第２のテーブルを生成することを特徴とする請求項６に記載の電圧検知装置。
【請求項８】
前記検知手段は、前記トランスの２次側に接続されていることを特徴とする請求項２から請求項７のいずれか１項に記載の電圧検知装置。
【請求項９】
前記検知手段は、前記トランスの１次側に接続されていることを特徴とする請求項２から請求項７のいずれか１項に記載の電圧検知装置。
【請求項１０】
前記検知手段は、前記交流電源の周波数に応じた周波数のパルス信号を前記補正手段に出力することを特徴とする請求項８又は請求項９に記載の電圧検知装置。
【請求項１１】
前記トランスの前記２次巻線の一端に接続された直流電源を有し、
前記算出手段は、前記直流電源から入力された直流電圧と、前記トランスの前記２次巻線の他端から入力された前記抵抗の両端の電圧と、に基づいて、前記算出電圧を算出することを特徴とする請求項２から請求項１０のいずれか１項に記載の電圧検知装置。
【請求項１２】
前記交流電源の周波数が高くなるほど前記抵抗の両端の電圧の振幅は大きくなることを特徴とする請求項１から請求項１１のいずれか１項に記載の電圧検知装置。
【請求項１３】
交流電源に接続された第１の１次巻線と、第１の２次巻線と、を有する第１のトランスと、
前記第１のトランスの前記第１の２次巻線に接続された第１の抵抗と、
前記交流電源の一端に接続され、前記交流電源から流れる電流を検知する電流検知手段と、
前記電流検知手段から電圧が入力され、かつ、前記第１の抵抗の両端の電圧が入力される算出手段と、
を有し、前記算出手段は、前記電流検知手段から入力された電圧と、前記第１の抵抗の両端の電圧とに基づき、前記交流電源から供給される電力を算出電力として算出する電力検知装置であって、
前記交流電源の周波数を検知する周波数検知手段と、
前記算出手段により算出された算出電力を前記周波数検知手段により検知された周波数に基づき補正した補正電力を求める補正手段と、
を有することを特徴とする電力検知装置。
【請求項１４】
前記算出手段は、入力されたアナログ値をデジタル値に変換する変換手段を有し、
前記交流電源の所定の周波数と、前記所定の周波数において前記変換手段により変換されたデジタル値から前記算出電力を算出するための第３のテーブルと、前記周波数検知手段により検知された周波数に応じて前記補正手段により前記算出電力を補正するための係数と、が記憶された記憶手段を有することを特徴とする請求項１３に記載の電力検知装置。
【請求項１５】
前記係数は、前記交流電源の交流電圧を一定とし、前記交流電源の周波数を変化させたときに前記算出手段により算出された算出電力に基づいて設定されることを特徴とする請求項１４に記載の電力検知装置。
【請求項１６】
前記補正手段は、前記周波数検知手段により検知された周波数と、前記記憶手段に記憶された前記所定の周波数、前記第３のテーブル及び前記係数と、に基づいて、前記周波数検知手段により検知された周波数において前記変換手段により変換されたデジタル値から前記補正電力を求めるための第４のテーブルを生成することを特徴とする請求項１５に記載の電力検知装置。
【請求項１７】
前記係数は、前記交流電源の周波数の関数で表されることを特徴とする請求項１４に記載の電圧検知装置。
【請求項１８】
前記係数は、１次関数で表され、
前記記憶手段には、前記１次関数の傾き及び切片が記憶されていることを特徴とする請求項１７に記載の電力検知装置。
【請求項１９】
前記補正手段は、前記周波数検知手段により検知された周波数と、前記記憶手段に記憶された前記所定の周波数、前記第３のテーブル、前記傾き及び前記切片と、に基づいて、前記周波数検知手段により検知された周波数において前記変換手段により変換されたデジタル値から前記補正電力を求めるための第４のテーブルを生成することを特徴とする請求項１８に記載の電力検知装置。
【請求項２０】
前記周波数検知手段は、前記第１のトランスの２次側に接続されていることを特徴とする請求項１３から請求項１９のいずれか１項に記載の電力検知装置。
【請求項２１】
前記周波数検知手段は、前記第１のトランスの１次側に接続されていることを特徴とする請求項１３から請求項１９のいずれか１項に記載の電力検知装置。
【請求項２２】
前記周波数検知手段は、前記交流電源の周波数に応じた周波数のパルス信号を前記補正手段に出力することを特徴とする請求項２０又は請求項２１に記載の電力検知装置。
【請求項２３】
前記第１のトランスの前記第１の２次巻線の一端に接続された直流電源を有し、
前記算出手段は、前記電流検知手段から入力された電圧と、前記直流電源から入力された直流電圧と、前記第１のトランスの前記第１の２次巻線の他端から入力された前記第１の抵抗の両端の電圧と、に基づいて、前記算出電力を算出することを特徴とする請求項１３から請求項２２のいずれか１項に記載の電力検知装置。
【請求項２４】
前記電流検知手段は、前記交流電源に接続された第２の１次巻線と、第２の２次巻線と、を有する第２のトランスと、前記第２のトランスの前記第２の２次巻線に接続された第２の抵抗と、を有し、前記第２の抵抗の両端の電圧が前記算出手段に入力され、
前記第２のトランスの前記第２の２次巻線の一端に前記直流電源が接続されていることを特徴とする請求項２３に記載の電力検知装置。
【請求項２５】
前記交流電源の周波数が高くなるほど前記第１の抵抗の両端の電圧の振幅は大きくなることを特徴とする請求項１３から請求項２４のいずれか１項に記載の電力検知装置。
【請求項２６】
像担持体と、
前記像担持体に静電潜像を形成する露光手段と、
前記露光手段により形成された前記像担持体上の静電潜像をトナーにより現像しトナー像を形成する現像手段と、
前記現像手段により形成されたトナー像を被転写体に転写する転写手段と、
被転写体上に転写された未定着のトナー像を定着する定着手段と、
前記像担持体、前記露光手段、前記現像手段、前記転写手段、及び前記定着手段を制御する制御手段と、
請求項１から請求項１２のいずれか１項に記載の電圧検知装置と、
を有することを特徴とする画像形成装置。
【請求項２７】
前記制御手段は、前記電圧検知装置の検知結果に基づいて前記定着手段に供給される電力を制御することを特徴とする請求項２６に記載の画像形成装置。
【請求項２８】
前記制御手段は、前記電圧検知装置の検知結果に基づいて画像形成動作を制御することを特徴とする請求項２６に記載の画像形成装置。
【請求項２９】
像担持体と、
前記像担持体に静電潜像を形成する露光手段と、
前記露光手段により形成された前記像担持体上の静電潜像をトナーにより現像しトナー像を形成する現像手段と、
前記現像手段により形成されたトナー像を被転写体に転写する転写手段と、
被転写体上に転写された未定着のトナー像を定着する定着手段と、
前記像担持体、前記露光手段、前記現像手段、前記転写手段、及び前記定着手段を制御する制御手段と、
請求項１３から請求項２５のいずれか１項に記載の電力検知装置と、
を有することを特徴とする画像形成装置。
【請求項３０】
前記制御手段は、前記電力検知装置の検知結果に基づいて前記定着手段に供給される電力を制御することを特徴とする請求項２９に記載の画像形成装置。
【請求項３１】
前記制御手段は、前記電力検知装置の検知結果に基づいて画像形成動作を制御することを特徴とする請求項２９に記載の画像形成装置。
【手続補正２】
【補正対象書類名】明細書
【補正対象項目名】０００７
【補正方法】変更
【補正の内容】
【０００７】
（１）交流電源に接続された１次巻線と、２次巻線と、を有するトランスと、前記トランスの前記２次巻線に接続された抵抗と、前記抵抗の両端の電圧が入力され、入力された前記両端の電圧に基づき前記交流電源の電圧を求める電圧検知装置であって、前記交流電源の周波数を検知する検知手段と、求められた前記交流電源の前記電圧を、前記検知手段により検知された周波数に基づき補正した補正電圧を求める補正手段と、を有することを特徴とする電圧検知装置。